(57)【要約】【課題】爪先立ち姿勢および踵立ち姿勢の保持と両姿勢間の移行を容易にかつ安定して行うことができるとともに、バランス立ち姿勢の保持を行うことができる履物を提供する。【解決手段】履物台２の長さを、爪先から土踏まずの長さに略対応する長さに設定するとともに、履物台２の下面を、側面視で下に凸の略円弧状曲面に形成する。履物台２の前端部上面には、足指を係止する係止段下がり部７が形成され、履物台２の後部上面には段上がり部６が形成されてその段上がり部６内にクッション材が介挿されている。【選択図】図１
0003181460.tif 000002
【実用新案登録請求の範囲】
【請求項１】
上面に足裏が当接する履物台と、該履物台上に足を保持するための保持部とを備える履物において、
前記履物台の長さを、爪先から土踏まずの長さに略対応する長さに設定するとともに、該履物台の下面を、側面視で下に凸の略円弧状曲面に形成したことを特徴とする履物。
【請求項２】
前記履物台の上面の土踏まずに対応する部分に凸状部が形成され、この凸状部内にクッション材が介挿されている請求項１に記載の履物。
【請求項３】
前記履物台の前端部上面に、足指を係止する係止段下がり部が形成され、前記履物台の後部上面に段上がり部が形成されてその段上がり部内にクッション材が介挿されている請求項１に記載の履物。
【請求項４】
前記履物台の横断面が、足の小指に対応する側から親指に対応する側へ向けて先窄まりのテーパ状に形成されている請求項１〜３のいずれかに記載の履物。
【考案の詳細な説明】
【技術分野】
【０００１】
本考案は、主として室内で使用する履物に関するものである。
【背景技術】
【０００２】
爪先で立ったり歩いたりすると、下半身のシェイプアップ効果があり、また、首筋や背筋を伸ばすストレッチ効果もあり、健康や美容に良いとされていることから、爪先歩行を可能とする履物がいろいろと提案され、実用化されている（例えば特許文献１）。
【０００３】
一方、バランス感覚を養うため、あるいはストレッチ効果を得るために、履物台の下面側に半円柱状の突起部を設けることにより、爪先立ち姿勢と踵立ち姿勢との間の移行を前後方向への体重移動によって行うことのできる履物が提案されている（例えば、特許文献２）。
【先行技術文献】
【特許文献】
【０００４】
【特許文献１】特開平３−１３１２０１号公報
【特許文献２】特開２００４−２０２１２８号公報
【０００５】
しかしながら、特許文献１に記載の履物では、爪先部分を積極的に利用する歩行運動を促すことにより、下半身のシェイプアップ効果等を得ることが可能であるが、踵立ちした姿勢への移行やバランス立ちした姿勢の保持等の効果を得ることができないという問題点がある。
【０００６】
一方、特許文献２に記載の履物では、履物台の下面側に半円柱状の突起部が設けられているので、爪先立ちした姿勢から踵立ちした姿勢に移行したり、バランス立ちした姿勢を保つことが可能であるが、足の裏全体が履物台の上面に密着させられるため、歩行時における爪先部分の柔軟な動きが規制され、爪先立ち姿勢によるシェイプアップ効果やストレッチ効果を得ることが困難であるという問題点がある。また、履物台下面の半円柱状の突起部が接地する構成であるため、爪先立ちした姿勢と踵立ちした姿勢との間の移行動作が不安定であり、また爪先立ちした姿勢又は踵立ち姿勢でのバランス立ちができないという問題点がある。
【考案の概要】
【考案が解決しようとする課題】
【０００７】
本考案は、前述のような問題点に鑑みてなされたもので、爪先立ち姿勢および踵立ち姿勢の保持と両姿勢間の移行を容易にかつ安定して行うことができるとともに、バランス立ち姿勢の保持を行うことができ、それによってストレッチ効果、シェイプアップ効果等を効果的に得ることのできる履物を提供することを目的とするものである。
【課題を解決するための手段】
【０００８】
前記目的を達成するために、本考案による履物は、
上面に足裏が当接する履物台と、該履物台上に足を保持するための保持部とを備える履物において、
前記履物台の長さを、爪先から土踏まずの長さに略対応する長さに設定するとともに、該履物台の下面を、側面視で下に凸の略円弧状曲面に形成したことを特徴とするものである（第１考案）。
【０００９】
本考案において、前記履物台の上面の土踏まずに対応する部分に凸状部が形成され、この凸状部内にクッション材が介挿されているのが好ましい（第２考案）。
【００１０】
また、前記履物台の前端部上面に、足指を係止する係止段下がり部が形成され、前記履物台の後部上面に段上がり部が形成されてその段上がり部内にクッション材が介挿されている構成とすることができる（第３考案）。
【００１１】
前記各考案において、前記履物台の横断面が、足の小指に対応する側から親指に対応する側へ向けて先窄まりのテーパ状に形成されている構成とすることができる（第４考案）。
【考案の効果】
【００１２】
第１考案においては、履物台の長さが、爪先から土踏まずの長さに略対応する長さに設定されているので、歩行時に踵が宙に浮き、足の裏の爪先から土踏まずまでの部分だけで体重を支えて安定した姿勢で立ち続けようとするので、重心が爪先寄りにある直立姿勢が保持されることになり、脚部のふくらはぎや足首の筋肉、更には腹筋や背筋が緊張することにより、下半身のシェイプアップ効果を得ることができるとともに、首筋や背筋を伸ばすストレッチ効果を得ることができる。
また、履物台の下面が下に凸の略円弧状曲面に形成されているので、爪先立ちした姿勢と踵立ちした姿勢との間の移行を容易かつスムーズに行うことができ、爪先立ちによるシェイプアップ効果に加えて、踵立ち姿勢による下半身のストレッチ効果と、前後方向への体重移動によるバランストレーニング効果とを得ることができる。
【００１３】
第２考案の構成を採用することにより、良好な装着感を創出することができるとともに、土踏まず部分の刺激によるマッサージ効果を得ることができる。
【００１４】
第３考案の構成を採用することにより、足指が係止段下がり部に係止されることによって足指の浮き上がりを防止することができ、履物台上面に対する足裏の密着性を高めることができる。
【００１５】
第４考案の構成を採用することにより、装着時に足裏が常に外側を向く状態となり、両膝が自然に身体の内側に移動するため、Ｏ脚の矯正を行うことができる。
【図面の簡単な説明】
【００１６】
【図１】本考案の第１の実施形態に係る履物の斜視図
【図２】第１の実施形態に係る履物を使用状態で示す側面図
【図３】第１の実施形態に係る履物によるトレーニングの態様を示す説明図
【図４】第２の実施形態に係る履物の斜視図
【図５】第３の実施形態に係る履物の背面図
【考案を実施するための形態】
【００１７】
次に、本考案による履物の具体的な実施の形態について、図面を参照しつつ説明する。
【００１８】
（第１の実施形態）
図１には、本考案の第１の実施形態に係る履物の斜視図が示され、図２には、本実施形態に係る履物を使用状態で示す側面図が、図３には、トレーニングの態様を示す説明図がそれぞれ示されている。
【００１９】
本実施形態による履物１は、図１に示されるように、履物台２と、この履物台２の前部上面を覆うように取り付けられる、履物台２上に足を保持するための保持部３とにより構成されている。なお、保持部３の上面には装飾用のリボン４が縫製により取り付けられている。
【００２０】
前記履物台２は、ポリエチレン系樹脂よりなる中材の側面が布製カバー２ａにて覆われるとともに、上面がポリエステルよりなる中敷２ｂにて覆われ、かつ底面にポリエチレン系樹脂よりなる底材５が貼り付けられ、さらに後部上面に全幅に亘って段上がり部６が形成されてその段上がり部６内にクッション材が介挿されて構成されている。ここで、段上がり部６内に介挿されるクッション材は、履物台２の上面に貼着される低発泡（低反発）ポリウレタンよりなり、このクッション材の上面を覆うように上記中敷２ｂが配されている。なお、前記履物台２の長さは、図２に示されるように、使用者が履物１を履いたときに、土踏まずの部分が段上がり部６上に乗り、踵の部分が履物台２の後端縁から大きく後方へはみ出す程度の長さに設定されている。
【００２１】
前記履物台２は、その平面形状が、図１からわかるように、後部から前部に向けて末広がり形状になるようにされ、最も幅の広い前端部上面には係止段下がり部７が形成され、この係止段下がり部７に、図２に示されるように、使用者が足指を曲げて係止することで、後述するトレーニング時に足指の浮き上がりが防止され、履物台２上面に対する足裏の密着性を高めることができるようにされている。
【００２２】
図２に示されるように、前記履物台２の下面は、側面視で下に凸の略円弧状曲面に形成されていて、使用者がバランスを取りながら前後に揺動運動できるようになっている。なお、履物台２の上面は、下面よりやや小さな曲率にて側面視で下に凸の略円弧状曲面に形成されている。
【００２３】
このように構成される履物１によれば、履物台２の下面が下に凸の略円弧状曲面に形成されているので、トレーニングを行うに際して、図３に示されるように、爪先立ちした姿勢（図３（ｃ）参照）と踵立ちした姿勢（図３（ａ）参照）との間の移行を、前後方向への体重移動を行うことによって容易かつスムーズに行うことができる。
【００２４】
また、いずれの姿勢をとった場合であっても、履物台２の底材５の一側縁から他側縁に渡る比較的広い範囲が接地した状態となるので、それぞれの姿勢を安定かつ良好に長時間維持することができる。こうして、図３（ａ）に示されるように、長時間安定して踵立ちした姿勢を維持することによってアキレス腱およびふくらはぎに対するストレッチ効果を良好かつ効果的に得ることができる。また、図３（ｃ）に示されるように、長時間安定して爪先立ちした姿勢を維持することにより、ふくらはぎ、大腿部、臀部の筋肉を強化することによるシェイプアップ効果を良好かつ効果的に得ることができる。さらに、図３（ｂ）に示されるように、前後のバランスを保つトレーニングにより足の引き締め効果を得ることができる。
【００２５】
また、本実施形態においては、踵立ちした姿勢または爪先立ちした姿勢をとったとしても、踵立ち歩き、爪先立ち歩きを容易に行うことができ、また、前後方向のバランス状態を維持しながらの歩行も容易に行うことができる。
【００２６】
（第２の実施形態）
図４には、本考案の第２の実施形態に係る履物の斜視図が示されている。
【００２７】
本実施形態による履物１１は、履物台１２と、足を保持するための保持部１３と、装飾用のリボン１４とを備え、履物台１２の底面に底材１５が貼り付けられた構成は第１の実施形態と同様であるが、履物台１２の平面形状が、第１の実施形態では、後部から前部に向けて末広がり形状であるのに対し、本実施形態では、全体として楕円に近い形状で、前端部の形状が第１の実施形態のものより曲率の大きな曲面に形成されている点で異なっている。また、第１の実施形態では、後部上面に全幅に亘って段上がり部６が形成されているのに対し、本実施形態では、後部の土踏まずに対応する部分のみに凸状部１６が形成され、この凸状部１６内にクッション材が介挿されている。さらに、本実施形態の履物台１２では、第１の実施形態のような係止段下がり部７は設けられていない。
【００２８】
本実施形態の履物１１によれば、履物台１２の後部に設けられた凸状部１６によって、履物台２上面に対する足裏の密着性を高めることができ、土踏まず部分の刺激によるマッサージ効果を得ることができる点が第１の実施形態と異なっている。それ以外の図３に示されるようなトレーニングによる効果は第１の実施形態と同様である。
【００２９】
（第３の実施形態）
図５には、本考案の第３の実施形態に係る履物の背面図が示されている。
【００３０】
本実施形態による履物２１は、履物台２２と、保持部２３と、装飾用のリボン２４と、底材２５とを備える基本構成は第２の実施形態と同様であるが、履物台２２が全体として小指の装着側（外側）から親指の装着側（内側）にかけて先搾まりのテーパ断面状に形成されている。この履物２１を履くと、足の裏面が外側を向くことになるので、両膝が身体の中心線に向け移動することになり、自然にＯ脚が矯正されるという作用効果を奏する。なお、それ以外の図３に示されるようなトレーニングによる効果は第１又は第２の実施形態と同様である。
【００３１】
上記各実施形態で述べた構成は組み合わせて用いることができる。例えば、第３の実施形態におけるＯ脚矯正用のテーパ形状を、第１又は第２の実施形態の履物台に用いても良いし、あるいは、第１の実施形態における係止段下がり部７を、第２又は第３の実施形態の履物台に用いても良い。
【産業上の利用可能性】
【００３２】
本考案の履物は、下半身のシェイプアップ効果や、首筋や背筋を伸ばすストレッチ効果を得るためのトレーニングに使用することができるので、産業上の利用効果が大である。
【符号の説明】
【００３３】
１，１１，２１    履物
２，１２，２２    履物台
２ａ              布製カバー
２ｂ              中敷
３，１３，２３    保持部
４，１４，２４    リボン
５，１５，２５    底材
６                段上がり部
７                係止段下がり部
１６              凸状部
【図１】
0003181460.tif 000003
【図２】
0003181460.tif 000004
【図３】
0003181460.tif 000005
【図４】
0003181460.tif 000006
【図５】
0003181460.tif 000007